(57)【要約】【課題】底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部とを有する包装箱において、表示部を正面側に十分に引き出すことができ、表示部を破り取ってしまうおそれが小さい包装箱を提供する。【解決手段】正面部１０は、正面本体部１２から水平な折れ線Ｃ１２を介して連設されたアーム部１４と、アーム部１４から水平な折れ線Ｃ１４を介して連設された表示部１６とを有し、表示部１６は、切目線Ｋ１、Ｋ２を介して正面本体部１２及びアーム部１４と連設されている。【選択図】図３
0003175415.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、一対の内側側面部と隣接して形成された正面本体部と、正面本体部から水平方向の第１折れ線を介して連設されたアーム部と、アーム部から第１折れ線と平行な第２折れ線を介して連設された表示部で、正面本体部と第３切目線を介して連設されるとともに、アーム部と第４切目線であって第３切目線から連設された第４切目線を介して連設された表示部とを有し、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線及び第４切目線を破断して表示部を正面側に引き出すことにより、アーム部が正面本体部に対して回動して、表示部が正面側に移動することを特徴とする包装箱。
【請求項２】
表示部が、第３切目線及び第４切目線に沿った辺部を有する表示部本体と、表示部本体とアーム部とを接続する接続部とを有することを特徴とする請求項１に記載の包装箱。
【請求項３】
正面本体部には、第３切目線と連設された切欠部で表示部を正面側に引っ張って第３切目線及び第４切目線を破断する際に指を挿入するための切欠部が形成されていることを特徴とする請求項２に記載の包装箱。
【請求項４】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、一対の内側側面部から折れ線を介して連設された正面本体部と、正面本体部の上辺から水平方向の第１折れ線を介して連設されたアーム部と、アーム部から第１折れ線と平行な第２折れ線を介して連設された表示部で、正面本体部の上辺と第３切目線を介して連設されるとともに、アーム部と第４切目線であって第３切目線から連設された第４切目線を介して連設された表示部とを有し、表示部が、第３切目線及び第４切目線に沿った辺部を有する表示部本体と、表示部本体とアーム部とを接続する接続部とを有し、正面本体部には、第３切目線と連設された切欠部で表示部を正面側に引っ張って第３切目線及び第４切目線を破断する際に指を挿入するための切欠部が形成され、
外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、正面本体部に形成された切欠部に指を挿入して表示部に係止し、挿入した指を正面側に引くことにより第３切目線及び第４切目線を破断して表示部を正面側に引き出すことにより、アーム部が正面本体部に対して回動して、表示部が正面側に移動することを特徴とする包装箱。
【請求項５】
表示部が、接続部から上方に突出した突出部を有することを特徴とする請求項２又は３又は４に記載の包装箱。
【請求項６】
第１切目線と第３切目線と第４切目線とが、ミシン目状の切込みにより形成され、第２切目線が、ミシン目状の切込み又は連続して形成された切込みにより形成されていることを特徴とする請求項１又は２又は３又は４又は５に記載の包装箱。
【請求項７】
表示部には、内箱部に収納された被収納物の広告が表示されていることを特徴とする請求項１又は２又は３又は４又は５又は６に記載の包装箱。
【請求項８】
底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする請求項１又は２又は３又は４又は５又は６又は７に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるもので、包装箱に陳列された商品が陳列場所に陳列されていることを顧客に強く知らせることができる包装箱として、特許文献１に示す先行技術文献の出願を行っている。
【０００３】
この特許文献１に示す包装箱において、ＰＯＰ広告として機能する突出揺動表示部１６を組み立てるには、正面部１０における切目線Ｍ１と切目線Ｍ２とを破断して、折れ線Ｎ２を正面視において山折りするとともに折れ線Ｎ１を正面視において谷折りする。
【先行技術文献】
【特許文献】
【０００４】
【特許文献１】実用新案登録第３１５０９２０号公報
【考案の概要】
【考案が解決しようとする課題】
【０００５】
しかし、特許文献１に記載の包装箱においては、突出揺動表示部１６が表示される接続片部１４が三角形状であり、突出揺動表示部１６を揺動可能な状態にした場合でも、突出揺動表示部１６は、前後方向には正面部１０の正面側の面の位置から伸びるので、正面方向に大きく突出揺動表示部１６を引き出すことができず、商品を収納した包装箱を店舗に配置して商品を陳列し、表示部を表示状態にした場合においても、店舗における什器向けプライスレールの手前位置まで突出揺動表示部１６を引き出すことができず、広告効果を向上させることができないという問題があった。
【０００６】
また、特許文献１に記載の包装箱においては、突出揺動表示部１６を表示状態にする際には、切目線Ｍ１と切目線Ｍ２を斜めに下方向に破断していくが、切目線を破断していく方向に突出揺動表示部１６と本体部１２とを接続する接続片部１４が設けられていることから切目線Ｍ１と切目線Ｍ２とを破断した後にも突出揺動表示部１６を引っ張り続けると誤って突出揺動表示部１６を破り取ってしまうおそれがある。
【０００７】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、ＰＯＰ広告として機能する表示部を正面側に十分に引き出すことができ、かつ、表示部を表示状態にする際に誤って表示部を破り取ってしまうおそれが小さい包装箱を提供することである。
【課題を解決するための手段】
【０００８】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部と隣接して形成された正面本体部と、正面本体部から水平方向の第１折れ線を介して連設されたアーム部と、アーム部から第１折れ線と平行な第２折れ線を介して連設された表示部で、正面本体部と第３切目線を介して連設されるとともに、アーム部と第４切目線であって第３切目線から連設された第４切目線を介して連設された表示部とを有し、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、第３切目線及び第４切目線を破断して表示部を正面側に引き出すことにより、アーム部が正面本体部に対して回動して、表示部が正面側に移動することを特徴とする。
【０００９】
第１の構成の包装箱においては、表示部を広告表示領域として用いることができ、表示部がアーム部に支持されているので、アーム部を正面側に回動させることにより、表示部を正面本体部から正面側に十分引き出すことでき、よって、店舗における什器向けプライスレールの手前位置（正面側の位置）まで引き出すことができ、広告効果を向上させることができる。
【００１０】
また、表示部を正面本体部に対して正面側に引き出すことにより、第３切目線及び第４切目線を破断するので、表示部を表示状態にする際に誤って表示部を破り取ってしまうおそれが小さい。すなわち、第３切目線及び第４切目線を破断した後に表示部をさらに引っ張り続けた場合でも、アーム部が正面本体部に対して回動するので、これにより、表示部を破り取る力を弱めることができ、また、アーム部が回動することにより、第３切目線及び第４切目線がすでに破断されて表示部を引っ張る必要がないことを知ることができるので、その点でも表示部を破り取ってしまうおそれが小さい。
【００１１】
また、第２には、上記第１の構成において、表示部が、第３切目線及び第４切目線に沿った辺部を有する表示部本体と、表示部本体とアーム部とを接続する接続部とを有することを特徴とする。
【００１２】
また、第３には、上記第２の構成において、正面本体部には、第３切目線と連設された切欠部で表示部を正面側に引っ張って第３切目線及び第４切目線を破断する際に指を挿入するための切欠部が形成されていることを特徴とする。これにより、切欠部に指を挿入して表示部を指でつまんで表示部を引き出すことにより、容易に第３切目線及び第４切目線を破断することができる。
【００１３】
また、第４には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部から折れ線を介して連設された正面本体部と、正面本体部の上辺から水平方向の第１折れ線を介して連設されたアーム部と、アーム部から第１折れ線と平行な第２折れ線を介して連設された表示部で、正面本体部の上辺と第３切目線を介して連設されるとともに、アーム部と第４切目線であって第３切目線から連設された第４切目線を介して連設された表示部とを有し、表示部が、第３切目線及び第４切目線に沿った辺部を有する表示部本体と、表示部本体とアーム部とを接続する接続部とを有し、正面本体部には、第３切目線と連設された切欠部で表示部を正面側に引っ張って第３切目線及び第４切目線を破断する際に指を挿入するための切欠部が形成され、外側側面部における分離部が接着された片部を第２切目線を介して片部を該外側側面部の他の部分に対して回動させることにより、第１切目線が破断して分離部が第１片部に接着した状態のまま内箱部から分離し、外箱部を上方に引き上げて外箱部を分離した状態で、正面本体部に形成された切欠部に指を挿入して表示部に係止し、挿入した指を正面側に引くことにより第３切目線及び第４切目線を破断して表示部を正面側に引き出すことにより、アーム部が正面本体部に対して回動して、表示部が正面側に移動することを特徴とする。
【００１４】
第４の構成の包装箱においては、表示部がアーム部に支持されているので、アーム部を正面側に回動させることにより、表示部を正面本体部から正面側に十分引き出すことができ、よって、店舗における什器向けプライスレールの手前位置（正面側の位置）まで引き出すことができ、広告効果を向上させることができる。
【００１５】
また、表示部を正面本体部に対して正面側に引き出すことにより、第３切目線及び第４切目線を破断するので、表示部を表示状態にする際に誤って表示部を破り取ってしまうおそれが小さい。すなわち、第３切目線及び第４切目線を破断した後に表示部をさらに引っ張り続けた場合でも、アーム部が正面本体部に対して回動するので、これにより、表示部を破り取る力を弱めることができ、また、アーム部が回動することにより、第３切目線及び第４切目線がすでに破断されて表示部を引っ張る必要がないことを知ることができるので、その点でも表示部を破り取ってしまうおそれが小さい。
【００１６】
また、正面本体部に切欠部が設けられているので、切欠部に指を挿入して表示部を指でつまんで表示部を引き出すことにより、容易に第３切目線及び第４切目線を破断することができる。
【００１７】
また、第５には、上記第２から第４までのいずれかの構成において、表示部が、接続部から上方に突出した突出部を有することを特徴とする。この突出部をつまみとして、アーム部の回動角度を調整することができる。
【００１８】
また、第６には、上記第１から第５までのいずれかの構成において、第１切目線と第３切目線と第４切目線とが、ミシン目状の切込みにより形成され、第２切目線が、ミシン目状の切込み又は連続して形成された切込みにより形成されていることを特徴とする。
【００１９】
また、第７には、上記第１から第６までのいずれかの構成において、表示部には、内箱部に収納された被収納物の広告が表示されていることを特徴とする。
【００２０】
また、第８には、上記第１から第７までのいずれかの構成において、底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする。
【考案の効果】
【００２１】
本考案に基づく包装箱によれば、表示部を広告表示領域として用いることができ、表示部がアーム部に支持されているので、アーム部を正面側に回動させることにより、表示部を正面本体部から正面側に十分引き出すことでき、よって、店舗における什器向けプライスレールの手前位置（正面側の位置）まで引き出すことができ、広告効果を向上させることができる。
【００２２】
また、表示部を正面本体部に対して正面側に引き出すことにより、第３切目線を破断するので、表示部を表示状態にする際に誤って表示部を破り取ってしまうおそれが小さい。すなわち、第３切目線を破断した後に表示部をさらに引っ張り続けた場合でも、アーム部が正面本体部に対して回動するので、これにより、表示部を破り取る力を弱めることができ、また、アーム部が回動することにより、第３切目線がすでに破断されて表示部を引っ張る必要がないことを知ることができるので、その点でも表示部を破り取ってしまうおそれが小さい。
【図面の簡単な説明】
【００２３】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく右側面図であり、特に、片部１２２と分離部２４の位置関係を説明する図である。
【図５】本考案の実施例に基づく包装箱の底面図である。
【図６】内箱部の展開図である。
【図７】図５の要部拡大図である。
【図８】外箱部の展開図である。
【図９】包装箱を折り畳んだ状態を示す平面図である。
【図１０】包装箱を折り畳んだ際の内箱部の折り畳み状態を示す平面図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図である。
【考案を実施するための形態】
【００２４】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、ＰＯＰ広告として機能する表示部を正面側に十分に引き出すことができ、かつ、表示部を表示状態にする際に誤って表示部を破り取ってしまうおそれがない包装箱を提供するという目的を以下のようにして実現した。
【００２５】
本考案に基づく包装箱Ａは、図１〜図８等に示すように構成され、内箱部Ａ１と、外箱部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図６〜図８に示す円内に示す方向である。
【００２６】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００２７】
ここで、正面部１０は、正面本体部１２と、正面本体部１２から折れ線Ｃ１２を介して連設されたアーム部１４と、アーム部１４から折れ線Ｃ１４を介して連設された表示部１６とを有していて、全体には、横長長方形状の上端が突出した形状を呈している。折れ線Ｃ１２、Ｃ１４には、該折れ線を折曲しやすいように直線状の切込みが形成されている。
【００２８】
正面本体部１２は、側面部２０と側面部３０から折れ線を介して連設されており（つまり、側面部２０と側面部３０と隣接して形成されている）、上端に横長の略長方形状を呈する切欠部を有する方形状（具体的には、長方形状）を呈している。つまり、正面本体部１２に形成された切欠部は、正面本体部１２の水平方向の辺部（上端辺部）１２ａから連設して形成され、略長方形状における下辺の一部が半円状に下方に突出した形状を呈し、該切欠部は、アーム部１４の辺部１４ａの下側部分に沿った辺部と、折れ線Ｃ１２に沿った辺部と、表示部本体１６−１の辺部１６ｅの右側面側部分に沿った辺部と、半円状の辺部１２ｂと、表示部本体１６−１の辺部１６ｅの左側面側部分に沿った辺部と、辺部１６ｄに沿った辺部と、辺部１６ｃの下側部分に沿った辺部とで形成されている。半円状の辺部１２ｂが形成されることにより、正面本体部１２には半円状の切欠部１７が形成される。これにより、正面本体部１２の上辺は、両側の辺部１２ａと辺部１２ａ間の切欠部を構成する辺部により形成されている。切欠部１７が形成されていることにより、正面部１０には、辺部１２ｂと表示部本体１６−１の辺部１６ｅとで囲まれた半円形の切欠部１７が形成される。
【００２９】
また、アーム部１４は、正面本体部１２から直線状の折れ線Ｃ１２を介して上方に連設され、縦長長方形状を呈している。折れ線Ｃ１２は、水平方向（正面本体部１２の下辺と平行な方向）に形成されていて、正面本体部１２の切欠部を形成する横方向の辺部における右側面側の部分に形成されている。アーム部１４は、折れ線Ｃ１２と、折れ線Ｃ１２と直角の直線状の辺部１４ａと、辺部１４ａと直角をなし折れ線Ｃ１２と平行な直線状の折れ線Ｃ１４と、折れ線Ｃ１４と直角をなし辺部１４ａと平行な直線状の辺部１４ｂ（辺部１６ｇに沿った辺部）と、辺部１４ｂの下端から下方に向けて左側面側に傾斜した辺部１４ｃ（辺部１６ｆに沿った辺部）とで囲まれた形状をなし、辺部１４ａの下側部分は、正面本体部１２とアーム部１４間に鉛直方向に切込みを形成することにより形成されている。また、辺部１４ｂは、アーム部１４と表示部１６における表示部本体１６−１間に鉛直方向に切込みを形成することにより形成されている。
【００３０】
また、表示部１６は、表示部本体１６−１と、表示部本体１６−１に連設されるとともに、アーム部１４と折れ線Ｃ１４を介して連設された接続部１６−２と、接続部１６−２から上方に突出した突出部１６−３とを有している。
【００３１】
ここで、表示部本体１６−１は、水平方向をなし、正面本体部１２の辺部１２ａよりも上方に形成された直線状の辺部１６ａと、辺部１６ａの左側面側の端部から斜め下方に形成された直線状の辺部１６ｂと、辺部１６ｂの下端から鉛直方向に下方に形成された直線状の辺部１６ｃと、辺部１６ｃの下端から斜め下方に形成された直線状の辺部１６ｄと、辺部１６ｄの下端から水平方向に直線状に形成された辺部１６ｅと、辺部１６ｅの右側面側の端部から斜め上方に直線状に形成された辺部１６ｆと、辺部１６ｆの上端から鉛直方向に上方に形成された直線状の辺部１６ｇと、辺部１６ｇの上端から連設された半円状の辺部１６ｈと、辺部１６ｈの辺部１６ｇとは反対側の端部と辺部１６ａの右側面側の端部間の仮想線で表示部本体１６−１と接続部１６−２間の境界をなす仮想線１６ｗとで囲まれた形状を呈している。なお、この仮想線１６ｗは、折れ線を形成するものではなく、表示部１６は、全体で１枚の板状を呈している。
【００３２】
表示部本体１６−１と正面本体部１２間には、切目線Ｋ１（第３切目線）が設けられ、該切目線Ｋ１は、辺部１６ｃの下側部分に沿った切目線（ミシン目状の切目線）と、辺部１６ｄに沿った切目線（ミシン目状の切目線）と、辺部１６ｅに沿った切目線（ミシン目状の切目線）とにより形成されている。また、表示部本体１６−１とアーム部１４間には、切目線Ｋ２（第４切目線）が設けられ、該切目線Ｋ２は、辺部１６ｆに沿った切目線（ミシン目状の切目線）と、辺部１６ｇに沿った切目線（ミシン目状の切目線）とにより形成されている。このように、表示部本体１６−１の周囲には、正面本体部１２との間の切目線Ｋ１とアーム部１４との間の切目線Ｋ２とが形成されている。このようにして、表示部１６は、切目線Ｋ１、Ｋ２を介して、正面本体部１２及びアーム部１４と連設されている。折れ線Ｃ１２は、辺部１６ｅに沿った切目線の延長線上に形成されており、折れ線Ｃ１４は、辺部１６ｇに沿った切目線の上端と接している。
【００３３】
表示部１６の外側の面、特に、表示部本体１６−１の外側の面には、予め商品の広告等の表示内容を印刷しておく。つまり、表示部１６を広告表示領域として用いる。なお、内箱部Ａ１の展開状態において、表示部１６の外側の面は、内箱部Ａ１の外側の面と同じ面となるので、内箱部Ａ１の表示部１６以外の領域と同時に表示部１６に印刷を行なうことができる。なお、被収納物を陳列する際に、広告内容を表示部１６に貼るようにしてもよい。
【００３４】
また、接続部１６−２は、アーム部１４から折れ線Ｃ１４を介して連設されるとともに、表示部本体１６−１の仮想線１６ｗ及び辺部１６ｈから連設されていて、接続部１６−２は、辺部１４ａの上端から連設され、略逆Ｌ字状の辺部１６ｉと、辺部１６ｉの辺部１４ａとは反対側の端部と辺部１６ｋの辺部１６ａとは反対側の端部間の仮想線で接続部１６−２と突出部１６−３間の境界をなす仮想線１６ｊと、仮想線１６ｊの左側面側の端部から連設され、斜め下方に直線状に伸びた後に下方に略円弧状に湾曲して辺部１６ａの右側面側の端部と接する辺部１６ｋとで囲まれた形状を呈している。なお、この仮想線１６ｊは、折れ線を形成するものではなく、表示部１６は、全体で１枚の板状を呈している。この接続部１６−２は、アーム部１４と表示部本体１６−１とを接続する機能を果たしている。
【００３５】
また、突出部１６−３は、接続部１６−２の上端、すなわち、仮想線１６ｊから上方に突出して形成され、互いに略平行な直線状の辺部１６ｌ、１６ｍと、辺部１６ｌ及び辺部１６ｍの上端から連設され、略半円状の辺部１６ｎとを有し、上方に突出して形成されている。この突出部１６−３は、表示部１６を正面側に移動させる際に、つまみとして機能する。
【００３６】
なお、内箱部Ａ１を陳列状態にして表示部１６を組み立てる前の状態、例えば、包装箱Ａを箱状に組み立てた状態（図１の状態）や包装箱Ａの包装状態（図１２の状態）においては、正面部１０（すなわち、正面本体部１２とアーム部１４と表示部１６）は全体で１つの平板状を呈し、同一の平面をなしている。内箱部Ａ１を陳列状態にして表示部１６を組み立てた状態は、図１５に示す状態である。
【００３７】
また、側面部２０は、正面本体部１２の正面視における右側の端部から折れ線を介して連設され、方形状における上側の一部を切り欠いた形状を呈し、側面部２０の上辺は、正面本体１２の辺部１２ａから連続して水平方向に形成された直線状の辺部２０ａと、辺部２０ａの背面側の端部から連設され、背面側に上方に傾斜して形成された直線状の辺部２０ｂと、辺部２０ｂの上端から背面側に向けて円弧状に形成された辺部２０ｃと、辺部２０ｃの背面側の端部から水平方向に形成された直線状の辺部２０ｄとを有している。この辺部２０ｄは、背面部４０の上端の縁部の高さと同じに形成されている。この側面部２０は、本体部（内側側面部本体部）２２と、分離部２４とを有している。
【００３８】
また、分離部２４は、側面部２０の下端から形成された切目線（第１切目線）２４ａにより区画された領域であり、切目線２４ａは、垂直方向の一対のミシン目状の切目線２４ａ−１、２４ａ−２と該一対のミシン目の上端をつなぐ円弧状の切込みからなる切目線２４ａ−３とにより形成されている。つまり、側面部２０の下辺と切目線２４ａにより囲まれた領域が分離部２４となる。本体部２２は、側面部２０において分離部２４を除いた領域である。ここで、ミシン目状の切目線とは、間隔をおきながら連続して形成された複数の切込みをいう（他においても同じ）。
【００３９】
この分離部２４の形成位置は、外箱部Ａ２の片部１２２の裏側の領域であり、分離部２４は片部１２２の裏側に接着され、片部１２２の下端を外側かつ上方に回動させることにより、分離部２４も片部１２２の裏側に接着したまま切目線２４ａが破断されて、分離部２４が本体部２２から分離するように形成されている。分離部２４は、図４に示すように、片部１２２よりも小さく形成されていて、分離部２４の外形が片部１２２の外形よりもはみだすことがない。
【００４０】
また、側面部３０は、正面部１０の正面視における左側の端部から折れ線を介して連設され、方形状における上側の一部を切り欠いた形状を呈し、背面側の端部においては、背面部４０の上端の縁部の高さと同じに形成されている。この側面部３０は、本体部（内側側面部本体部）３２と、分離部３４とを有している。
【００４１】
この側面部３０の構成は、内箱部Ａ１の組立て状態では、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。なお、分離部３４は、側面部３０の下端から形成された切目線（第１切目線）３４ａにより区画された領域であり、切目線３４ａは、垂直方向の一対のミシン目状の切目線３４ａ−１、３４ａ−２と該一対のミシン目の上端をつなぐ円弧状の切込みからなる切目線３４ａ−３とにより形成されている。
【００４２】
この分離部３４の形成位置は、外箱部Ａ２の片部１３２の裏側の領域であり、分離部３４は片部１３２の裏側に接着され、片部１３２の下端を外側かつ上方に回動させることにより、分離部３４も片部１３２の裏側に接着したまま切目線３４ａが破断されて、分離部３４が本体部３２から分離するように形成されている。分離部３４は、片部１３２よりも小さく形成されていて、分離部３４の外形が片部１３２の外形よりもはみだすことがない。
【００４３】
また、背面部４０は、側面部３０の左側面視における左端から折れ線を介して連設され、方形状（長方形状）を呈している。この背面部４０の横幅は、正面部１０の横幅と同一に形成され、背面部４０の縦幅は、側面部２０、３０の縦幅（最大縦幅）と同一に形成されている。
【００４４】
また、糊代部４２は、背面部４０の背面視における左端から折れ線を介して連設され、縦方向に細長の帯状台形形状を呈している。この糊代部４２は、その外側の面が側面部２０の内側の面に接着されている。
【００４５】
また、底面部５０は、第１片部６０と、第２片部７０と、第３片部８０と、第４片部９０とを有し、包装箱Ａの組立て状態においては、図５に示すように、略方形状の外形を呈している。
【００４６】
ここで、第１片部６０は、側面部３０下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。この第１片部６０の側面部３０との境界側には、分離部３４の下位置に分離部３４と略同幅の切欠部６０ａが形成されている。この切欠部６０ａは、片部１３２を回動させる際に、指を係止しやすくするために形成されている。
【００４７】
また、第２片部７０は、正面部１０の正面本体部１２の下端から折れ線を介して連設され、略長方形状に形成され、第２片部７０の上面の一部が内箱部Ａ１の内底面の一部を形成している。また、第２片部７０の角部（正面部１０と側面部２０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００４８】
また、第３片部８０は、背面部４０の下端から折れ線を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａ１の内底面の一部を形成している。また、第３片部８０の角部（背面部４０と側面部３０の境界位置の下端）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００４９】
また、第４片部９０は、側面部２０の下端から折れ線を介して連設され、先端側にいくほど幅狭となる略台形形状に形成され、その上面の一部が内箱部Ａ１の内底面の一部を形成している。この第４片部９０の側面部２０との境界側には、分離部２４の下位置に分離部２４と略同幅の切欠部９０ａが形成されている。この切欠部９０ａは、片部１２２を回動させる際に、指を係止しやすくするために形成されている。
【００５０】
内箱部Ａ１を箱状に組み立てた状態（ただし、表示部本体１６−１の周囲の切目線を破断して、表示部１６を正面側に移動させる前の状態）正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部２０との角度を小さくし、背面部４０と側面部３０との角度を小さくさせるとともに、第２片部７０を上方に回動させて第２片部７０が側面部２０に対して略平行になるようにすることにより、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００５１】
次に、外箱部Ａ２は、内箱部Ａ１を覆う箱体であり、図１〜図３、図８等に示すように、スリーブ状部（外側スリーブ状部）１０５と、上面部１６０、１７０、１８０、１９０とを有していて、その展開状態は、図８に示すように形成されている。
【００５２】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００５３】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００５４】
また、側面部１２０は、正面部１１０の正面視における右側の端部から折れ線Ｋ１２０を介して連設され、方形状を呈している。また、側面部１２０の下端からは、一対の略円弧状のミシン目状の切目線１２２ａ、１２２ｂが縦方向に互いに対向して形成され、切目線１２２ａ、１２２ｂの上端を結ぶ折れ線１２２ｃが形成されていて、側面部１２０の下辺と切目線１２２ａ、１２２ｂと折れ線１２２ｃにより囲まれた領域が片部１２２となる。つまり、片部１２２は、下端を外側に引き出すことにより切目線１２２ａ、１２２ｂが破断して折れ線１２２ｃを中心に側面部１２０の他の部分（つまり、側面部１２０における片部１２２以外の部分）に対して回動するようになっている。
【００５５】
なお、正面部１１０と側面部１２０の境界位置には、所定間隔で切込みが形成された（つまり、折曲しやすいように切込みが形成されている）直線状の折れ線Ｋ１２０が形成され、折れ線Ｋ１２０の下側には、縦長の切欠部Ｋ１２２が形成されている。
【００５６】
また、側面部１３０は、正面部１１０の正面視における左側の端部から折れ線Ｋ１１２を介して連設され、方形状を呈し、ミシン目状の切目線１３２ａとミシン目状の切目線１３２ｂと折れ線１３２ｃとが形成され、側面部１３０の下辺と切目線１３２ａ、１３２ｂと折れ線１３２ｃにより囲まれた領域が片部１３２となる。切目線１２２ａ、１２２ｂ、１３２ａ、１３２ｂが第２切目線に当たる。切目線１２２ａ、１２２ｂ、１３２ａ、１３２ｂは、ミシン目状の切目線としたが、連続して形成された１本の切目線でもよい。
【００５７】
側面部１３０は、外箱部Ａ２の組立て状態において、側面部１２０と前後方向に垂直な仮想的な平面である中心面を介して対称に形成されていて、切目線１３２ａは切目線１２２ａと対称に形成され、切目線１３２ｂは切目線１２２ｂと対称に形成され、折れ線１３２ｃは折れ線１２２ｃと対称に形成されている。
【００５８】
つまり、片部１３２は、下端を外側に引き出すことにより切目線１３２ａ、１３２ｂが破断して折れ線１３２ｃを中心に側面部１３０の他の部分（つまり、側面部１３０における片部１３２以外の部分）に対して回動するようになっている。
【００５９】
なお、正面部１１０と側面部１３０の境界位置には、所定間隔で切込みが形成された（つまり、折曲しやすいように切込みが形成されている）直線状の折れ線Ｋ１１２が形成されている。また、側面部１３０と正面部１１０の間の位置における下側には、縦長の開口部Ｋ１１４が形成されている。
【００６０】
また、背面部１４０は、側面部１３０の左側面視における左端から折れ線Ｋ１１６を介して連設され、方形状を呈している。この背面部１４０の横幅は、内箱部Ａ１を外箱部Ａ２内に収納することができるように、背面部４０の横幅よりも若干大きく形成されている。なお、側面部１３０と背面部１４０とをお互いに折曲げしやすいように、折れ線Ｋ１１６に沿って所定間隔で切込みが形成されている。
【００６１】
また、糊代部１４２は、側面部１２０の右側面視における右端から折れ線（所定間隔で切込みが形成された（つまり、折曲しやすいように切込みが形成されている）折れ線）Ｋ１２４を介して連設され、縦方向に細長の帯状台形形状を呈している。この糊代部１４２は、図２に示すように、その内側の面が背面部１４０の外側の面に接着されている。
【００６２】
また、正面部１１０と側面部１２０、１３０と背面部１４０の縦幅は同一に形成されていて、内箱部Ａ１の縦幅と同一又は若干大きく形成されている。
【００６３】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図８に示すように、上面部１６０〜１９０における隣接した上面部においては、隙間Ｋ１３４、Ｋ１３６、Ｋ１３８が形成されている。なお、蓋部としての上面部１６０〜１９０はスリーブ状部１０５の上端の各辺から連設されているが、少なくとも１つの上面部から連設されていればよい。
【００６４】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６５】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０（特に、片部１２２）の内側の面の間には接着剤層（図示せず）が設けられていて、同様に、分離部３４の外側の面の全部又は一部の領域と側面部１３０（特に、片部１３２）の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部２４の周囲の切目線２４ａが破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部３４の周囲の切目線３４ａが破れて、分離部３４が内箱部Ａ１から分離し、回動させた片部１３２に接着した状態で片部１３２に従動するように設定されている。
【００６６】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００６７】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１２０に対して略平行になるようにし、かつ、側面部１３０を背面部１４０に対して略平行になるようにすることにより、図９に示すように平板状に折り畳むことができる。
【００６８】
上記構成の包装箱Ａの使用状態について説明する。包装箱Ａを使用しない状況では、上記のように包装箱Ａは平板状に折り畳むことができるので、折り畳んで保管しておく。
【００６９】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００７０】
そして、図１１に示すように、包装箱Ａの上方から複数の被収納物（商品）Ｇを内箱部Ａ１内に収納する。図１１は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の側面部１２０から上面を経て側面部１３０側にまで接着させることにより、図１２に示すように、上面部１６０〜１９０を封止する。
【００７１】
以上のようにして、被収納物を包装箱Ａに包装したら、被収納物Ｇを収納した包装箱Ａを被収納物Ｇを陳列する場所に搬送する。
【００７２】
その後、被収納物を陳列する場合には、外箱部Ａ２を内箱部Ａ１から分離する。すなわち、図１３に示すように、外箱部Ａ２の片部１２２を外側に引き出して切目線１２２ａ、１２２ｂを破断して折れ線１２２ｃを中心に回動させることにより、分離部２４も片部１２２の裏側に接着したまま切目線２４ａが破断されて、分離部２４が本体部２２から分離する。同様に、片部１３２を外側に引き出して切目線１３２ａ、１３２ｂを破断して折れ線１３２ｃを中心に回動させることにより、分離部３４も片部１３２の裏側に接着したまま切目線３４ａが破断されて、分離部３４が本体部３２から分離する。
【００７３】
なお、片部１２２、１３２が回動する際の回動軸となる折れ線１２２ｃ、１３２ｃの箇所には折れ線として罫線を形成しておくのが好ましいが、罫線を形成しておかなくても片部１２２、１３２を回動させることにより自然と折れ線が形成されるが、予め該折れ線の箇所に罫線を形成しておいてもよい。
【００７４】
以上のように、外箱部Ａ２の片部１２２を上側に回動させた際に、同時に分離部２４の周囲の切目線２４ａが破れて、分離部２４が内箱部Ａ１から分離し、回動させた片部１２２に接着した状態で片部１２２に従動し、同様に、外箱部Ａ２の片部１３２を上側に回動させた際に、同時に分離部３４の周囲の切目線３４ａが破れて、分離部３４が内箱部Ａ１から分離し、回動させた片部１３２に接着した状態で片部１３２に従動する。
【００７５】
そして、図１４に示すように、外箱部Ａ２を上方に引き上げることにより、被収納物を収納した状態で、かつ、分離部２４、３４が分離した状態の内箱部Ａ１が残る。なお、外箱部Ａ２には、切欠部Ｋ１２２や開口部Ｋ１１４が設けられているので、外箱部Ａ２を内箱部Ａ１に対して容易に引き上げることができる。
【００７６】
その後、正面部１０における表示部１６を組み立てる。すなわち、正面部１０の切欠部１７に指（例えば、人差し指）を挿入し、挿入した指を表示部本体１６−１の内側に係止させるとともに、他の指（例えば、親指）を表示部本体１６−１の外側の面に配置して、表示部本体１６−１の下端を手でつまむ。その状態で、表示部本体１６−１を正面側に引っ張ることにより、表示部本体１６−１の周囲の切目線（表示部本体１６−１と正面本体部１２間の切目線と表示部本体１６−１とアーム間の切目線）が破断し、さらに、表示部本体１６−１を正面側に引くことにより、アーム部１４が正面本体部１２に対して正面側に回動して、表示部１６を正面側に引き出して表示部１６を正面側に移動させることができる。すなわち、表示部１６がアーム部１４に対して折れ線Ｃ１４を介して折曲する（つまり、折れ線Ｃ１４が正面側から見て山折りとなる）とともに、アーム部１４が正面本体部１２に対して折れ線Ｃ１２を介して折曲して（つまり、折れ線Ｃ１２が正面側から見て谷折りとなる）、表示部１６をアーム部１４に支持された状態で正面側に引き出すことができる。表示部１６を正面側に引き出した状態は、図１５に示す状態となる。なお、表示部１６の前後方向の位置を調整する際には、突出部１６−３を指でつまんで、アーム部１４の回動角度を調整する。
【００７７】
本実施例の包装箱Ａによれば、表示部１６がアーム部１４に支持されているので、アーム部１４を正面側に回動させることにより、表示部１６を正面本体部１２から正面側に十分引き出すことができ、よって、店舗における什器向けプライスレールの手前位置（正面側の位置）まで引き出すことができ、広告効果を向上させることができる。すなわち、表示部１６をアーム部１４の長さ分だけ正面側に引き出すことができるので、表示部１６を十分引き出すことができる。
【００７８】
また、表示部１６を正面本体部１２に対して正面側に引き出すことにより、表示部本体１６−１の周囲の切目線を破断するので、表示部１６を表示状態にする際に誤って表示部１６を破り取ってしまうおそれが小さい。すなわち、表示部本体１６−１の周囲の切目線を破断した後に表示部１６をさらに引っ張り続けた場合でも、アーム部１４が正面本体部１２に対して回動するので、表示部１６を破り取る力を弱めることができる。また、アーム部１４が回動することにより、切目線Ｋ１、Ｋ２がすでに破断されて表示部１６を引っ張る必要がないことを知ることができるので、その点でも表示部１６を破り取ってしまうおそれが小さい。
【００７９】
また、正面本体部１２に半円状の切欠部１７が形成されているので、切欠部１７に指を挿入して表示部１６の下端部分を指でつまんで表示部１６を引き出すことにより、容易に切目線Ｋ１、Ｋ２を破断することができる。
【００８０】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００８１】
また、本実施例の包装箱Ａによれば、片部１２２、１３２を外側に回動させて、分離部２４、３４を内箱部Ａ１から分離して外箱部Ａ２を上方に引き上げるのみで陳列することができるので、陳列作業を容易に行なうことができる。
【００８２】
また、特に、内箱部Ａ１には、表示部１６が設けられ、表示部１６（特に、表示部本体１６−１）に広告等を表示することにより表示部１６をＰＯＰ広告として使用することができる。
【００８３】
また、正面部１０においては、上記のように、略凸状のブランクに各切込みと折れ線と切欠部を設けることにより形成することができ、容易に表示部１６とアーム部１４を形成することができる。
【００８４】
なお、切欠部１７を設けずに、表示部本体１６−１の箇所を上側から指につまんで、手前側に引っ張って、切目線Ｋ１、Ｋ２を破断するようにしてもよい。
【００８５】
また、上記の説明では、片部１２２、１３２は、側面部１２０、１３０の下端領域に設けられ、分離部２４、３４も側面部２０、３０の下端領域に設けられているとしたが、片部１２２、１３２を側面部１２０、１３０の下端領域以外の領域に設けるとともに、分離部２４、３４を側面部２０、３０の下端領域以外の領域に設けてもよい。例えば、側面部２０の辺部２０ａを図示した構成よりも長く形成し、長く形成した辺部２０ａの上側に分離部を切目線を介して連設し、側面部１２０における該分離部に対応する位置に切目線を介して片部１２２を設け、側面部３０、１３０においても、同様に構成するようにしてもよい。
【００８６】
また、上記の説明において、外箱部Ａ２においては、スリーブ状部１０５を構成する正面部１１０と側面部１２０の境界位置に切欠部Ｋ１２２が設けられ、正面部１１０と側面部１３０の境界位置に開口部Ｋ１１４が設けられているとして説明したが、切欠部Ｋ１２２を開口部Ｋ１１４のような開口部としてもよく、また、開口部Ｋ１１４を切欠部Ｋ１２２のような切欠部としてもよい。また、切欠部Ｋ１２２のような切欠部又は開口部Ｋ１１４のような開口部を側面部１２０と背面部１４０の境界位置や側面部１３０と背面部１４０の境界位置に設けるようにしてもよい。
【００８７】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【符号の説明】
【００８８】
Ａ  包装箱
Ａ１  内箱部
Ａ２  外箱部
５、１０５  スリーブ状部
１０、１１０  正面部
１２  正面本体部
１４  アーム部
１６  表示部
１６−１  表示部本体
１６−２  接続部
１６−３  突出部
１７  切欠部
２０、３０、１２０、１３０  側面部
２２、３２  本体部
２４、３４  分離部
４０、１４０  背面部
４２、１４２  糊代部
５０  底面部
６０  第１片部
７０  第２片部
８０  第３片部
９０  第４片部
１６０、１７０、１８０、１９０  上面部
Ｋ１、Ｋ２、２４ａ、３４ａ、１２２ａ、１２２ｂ、１３２ａ、１３２ｂ  切目線
Ｃ１２、Ｃ１４  折れ線
【図１】
0003175415.tif 000003
【図２】
0003175415.tif 000004
【図３】
0003175415.tif 000005
【図４】
0003175415.tif 000006
【図５】
0003175415.tif 000007
【図６】
0003175415.tif 000008
【図７】
0003175415.tif 000009
【図８】
0003175415.tif 000010
【図９】
0003175415.tif 000011
【図１０】
0003175415.tif 000012
【図１１】
0003175415.tif 000013
【図１２】
0003175415.tif 000014
【図１３】
0003175415.tif 000015
【図１４】
0003175415.tif 000016
【図１５】
0003175415.tif 000017